(57)【要約】【課題】塵捨てを放置しても、その後に容易に塵捨てができるとともに集塵した塵がカビることを抑制可能な掃除機用集塵装置を提供することにある。【解決手段】負圧室３４を有した集塵ケース３１に、吸込まれた水を霧状に水滴化する霧化手段を有した導入管４１、及びこの導入管４１の出口に連通する集塵室３５を夫々設ける。上流フィルタ４２を集塵室３５と負圧室３４とを区画した隔壁３７に取付ける。負圧室３４をその下流側から閉じる下流フィルタ４３を集塵ケース３１に取付ける。下流フィルタ４３からの落下物を受ける溜め室３６を下流フィルタ４３の下方に位置して集塵ケース３１に設ける。【選択図】      図３
2005204796.tif 000002
【特許請求の範囲】
【請求項１】
負圧室を有した集塵ケースと、
吸込まれた水を霧状に水滴化する霧化手段を有して集塵ケースに設けられた導入管と、
この導入管の出口に連通して前記集塵ケースに設けられた集塵室と、
この集塵室と前記負圧室とを仕切った隔壁に取付けられた上流フィルタと、
前記負圧室をその下流側から閉じて前記集塵ケースに取付けられた下流フィルタと、
この下流フィルタの下方に位置して前記集塵ケースに設けられ前記下流フィルタからの落下物を受ける溜め室と、
を具備した掃除機用集塵装置。
【請求項２】
負圧室を有した集塵ケースと、
吸込まれた水を霧状に水滴化する霧化手段を有して集塵ケースに設けられた導入管と、
この導入管の出口に連通して前記集塵ケースに設けられた集塵室と、
前記集塵ケースに設けられた溜め室と、
この溜め室と前記集塵室とを連通して設けられた連通路と、
この連通路の入口部に設けられた上流フィルタと、
前記溜め室と前記負圧室との境に設けられた他の上流フィルタと、
前記負圧室をその下流側から閉じて前記集塵ケースに取付けられた下流フィルタと、
を具備した掃除機用集塵装置。
【請求項３】
請求項１又は２に記載の掃除機用集塵装置において、前記導入管が前記負圧室に配置されているとともに、前記導入管の入口と前記絞りとの間の入口管部に前記負圧室と前記導入部内とを連通する更に他の上流フィルタが設けられている。
【発明の詳細な説明】
【技術分野】
【０００１】
本発明は、水が混ざった塵を吸込んでも支障なく使用できる電気掃除機に好適に備えられる集塵装置に関する。
【背景技術】
【０００２】
従来、水が混ざった塵を電動送風機の吸引力により収塵ケース（集塵ケース）内に吸込み、この収塵ケース内に設けた分離機構により、水及び塵と吸込み空気とに分離して、水及び塵を収塵ケースに貯留させるようにした電気掃除機が知られている（例えば、特許文献１参照。）。
【０００３】
この特許文献１に記載の分離機構は、収塵ケースに着脱自在に装着されるとともにフィルタが取付けられるフィルタ収納体に、吸込み空気が導入される収塵ケースの吸込部と対向する底面を有した有底筒部を突設するとともに、前記底面より下流側に位置する有底筒部の周面に空気通過孔を穿設して形成されている。吸込部を通って収塵ケースに吸込まれた水の混じった塵は、有底筒部の底面に衝突して吸込速度を減速され、吸込空気と分離して収塵ケース内に落下して貯留される。又、塵及び水を分離した吸込空気は、空気通過孔からフィルタ収納体に吸込まれ、フィルタによりろ過される。
【特許文献１】特公平７−１０６１９０号公報（第２頁左欄第２行〜第２５行）
【発明の開示】
【発明が解決しようとする課題】
【０００４】
特許文献１の技術では、収塵ケースに吸込空気から分離された塵及び水が混じった状態で貯留されるので、塵捨てをしないで放置した場合に、吸塵ケース内でカビが発生する可能性が高い。しかも、塵捨ての放置により塵が干からびる状態になると、塵が集塵室の内面に強固に付着するので、その後に塵捨てにおいて支障をきたしやすい。
【０００５】
本発明の目的は、塵捨てを放置しても、その後に容易に塵捨てができるとともに集塵した塵がカビることを抑制可能な掃除機用集塵装置を提供することにある。
【課題を解決するための手段】
【０００６】
前記課題を解決するため、本発明は、負圧室を有した集塵ケースに、吸込まれた水を霧状に水滴化する霧化手段を有した導入管、及びこの導入管の出口に連通する集塵室を夫々設けるとともに、上流フィルタを集塵室と負圧室とを区画した隔壁に取付け、かつ、負圧室をその下流側から閉じる下流フィルタを集塵ケースに取付けるとともに、この下流フィルタからの落下物を受ける溜め室を下流フィルタの下方に位置して集塵ケースに設けている。
【発明の効果】
【０００７】
本発明によれば、水と混ざった塵を、塵と水とに分離して収容できるので、塵捨てを放置しても、その後の塵捨てが容易であるとともに集塵した塵がカビることを抑制可能な掃除機用集塵装置を提供できる。
【発明を実施するための最良の形態】
【０００８】
図１〜図３を参照して本発明の第１実施形態を説明する。
【０００９】
図１中符号１で示す電気掃除機が備える掃除機本体２には、可撓性の吸塵ホース３の一端部３ａが着脱可能に接続されている。吸塵ホース３は他端部に手元操作部４を備えている。手元操作部４には伸縮可能な延長管５が着脱可能に接続され、延長管５の先端部には吸込み口体６が着脱可能に接続される。手元操作部４はハンドル４ａを有し、このハンドル４ａには遠隔操作用の操作スイッチが設けられている。図示の吸込み口体６は、床面の掃除に好適なものであって、その下面に幅方向に延びる吸込み開口（図示しない）を有している。
【００１０】
図１及び図２に示すように掃除機本体２は、本体ケース１０と、蓋体２０と、本体ケース１０に着脱自在に取付けられる集塵装置３０とを備えている。蓋体２０はその後部が本体ケース１０の前部にヒンジ結合されて上下方向に開閉可能に設けられている。
【００１１】
図２に示すように本体ケース１０は後側の電動部１１と前側の載置部１２とを備えている。電動部１１には、電動送風機１３、及びこの電動送風機１３の例えば下側に位置して商用交流電源の電力を電動送風機１３等に供給するコードリール１４が配置されている。
【００１２】
電動部１１の前面は開口され、この開口は電動送風機１３の吸気口１３Ａに連通している。載置部１２は、電動部１１の下部から前方へ一体に突出されていて、上方に開放する凹状をなす皿状に形成されている。この載置部１２には集塵装置３０が着脱自在に載置される。蓋体２０が閉じられることによって、蓋体２０と載置部１２とが集塵装置３０を挟持するようになっている。蓋体２０は、その前部に取付けられたパイプ状の吸込み口２１を有している。吸込み口２１は前後方向に延びており、これには吸塵ホース３の一端部３ａが着脱可能に接続される。
【００１３】
本体ケース１０の幅方向両側壁には、本体ケース１０の前側上部から後側下部にわたる斜状の膨出部１５（一方のみ図示）が夫々一体に形成され、これら膨出部１５の下端部に後輪１６が回転自在に取付けられている。両膨出部１５と本体ケース１０の両側壁の前側部分には複数の排気孔からなる排気部１７が設けられている。排気部１７は図示しない排気風路を介して電動送風機１３の排気口１３Ｂ（図２参照）と連通している。電動送風機１３の排気口１３Ｂから排気される空気は排気風路を介して排気部１７から外に排気される。
【００１４】
以下、図２及び図３を参照して集塵装置３０を説明する。集塵装置３０は集塵ケース３１を備えている。この集塵ケース３１の側壁には、把手部３２が設けられているとともに、この把手部３２の上方に位置して吸気入口３３が設けられている。吸気入口３３は、集塵ケース３１が図２に示すように電動送風機１３の上流側に配置されたときに、蓋体２０の吸込み口２１の真後ろに連続して配置される。集塵ケース３１は、その上部内側に負圧室３４を有しているとともに、この負圧室３４の下側に位置して集塵室３５と溜め室３６とを有している。負圧室３４と集塵室３５とは集塵ケース３１内に設けた隔壁３７で仕切られている。隔壁３７は前後方向に並べられた集塵室３５と溜め室３６とを仕切っている。
【００１５】
集塵室３５と溜め室３６の底面は夫々開口されている。集塵ケース３１の底部には、２つの底板３８、３９が図示しない枢軸回りに互いに独立して回転可能に取付けられている。一方の底板３８はその回動により集塵室３５の底面開口を開閉し、その平坦な上面で集塵室３５の底面開口を閉じ、かつ、開けることにより集塵室３５内に溜められた塵を捨てることができる。他方の底板３９はその上面に開口する凹状をなしていて、その回動により溜め室３６の底面開口を開閉し、開けることにより溜め室３６内に溜められた水等を捨てることができる。底板３９の凹状部には水を溜めることができ、それにより溜め室３６から集塵室３５への浸水を抑制するようになっている。なお、図３中符号４０は気密ないしは水密を保持するシール材を示している。底板３８の閉じ状態は、把手部３２に設けた操作釦３２ａの押し込みに連動する図示しない機構を介して解除されるようになっている。底板３９は、シール材４０への強い密接を保持する図示しないクランプを介して閉じ状態を保持されるともに、このクランプを手動で外すことにより開放可能に設けられている。
【００１６】
集塵ケース３１には導入管４１が取付けられている。導入管４１は、これに吸込まれた水を霧状に水滴化する霧化手段を有している。この霧化手段は絞り４１ａとテーパ管部４１ｂで形成されている。絞り４１ａは、例えば導入管４１のＬ形状に曲っている部分により作られていて、その流路断面は他の部分の流路断面より狭い。テーパ管部４１ｂは、絞り４１ａの下流側に連続した管部分で形成されている。このテーパ管部４１ｂは、絞り４１ａから遠ざかるに従い急激に流路断面を増加させる拡大風路として機能する。導入管４１の絞り４１ａより上流側部分は略直管状の入口管部４１ｃをなしている。導入管４１の入口管部４１ｃは吸気入口３３に接続され、絞り４１ａと反対側に位置するテーパ管部４１ｂの端部がなした導入管４１の出口は隔壁３７の上部に接続されている。これによって導入管４１は吸気入口３３と集塵室３５内とを連通して負圧室３４に配置されている。テーパ管部４１ｂは、上下方向に対して傾けられていて、これから集塵室３５に流出する含塵空気が、集塵室３５を区画する環状周壁に沿って旋回するように隔壁３７に接続されている。
【００１７】
隔壁３７の上部には負圧室３４と集塵室３５とを連通する上流フィルタ４２が装着されている。上流フィルタ４２はナイロンネット等からなる。
【００１８】
集塵ケース３１の後端部（下流側の端部）には下流フィルタ４３が取外し可能に装着されている。下流フィルタ４３は、溜め室３６の上方に連続して立てて、好ましくは図３に示すように少なくとも表面が前傾して設けられていて、負圧室３４に臨んでいる。下流フィルタ４３には、好ましい例として、マット状のろ材を、ろ過面積を拡張するために波形形状に折り曲げてプリーツ形に形成されたプリーツフィルタが使用されている。下流フィルタ４３のメッシュは上流フィルタ４２のメッシュより細かい。この下流フィルタ４３は上流フィルタ４２を通過した塵を捕捉する。この下流フィルタ４３の負圧室３４に臨んだ上流側表面には撥水層（図示しない）が設けられている。この撥水層は例えば４弗化エチレンを前記上流側表面にコーテングすることにより作ることができる。撥水層は下流フィルタ４３の通気性を損なうものではない。
【００１９】
下流フィルタ４３の下端から下方に連続している溜め室３６の上部には、ゴム板等で作られた逆止め部材４４が設けられている。逆止め部材４４は、下流フィルタ４３から流下する水を溜め室３６に導く傾斜及びこの傾斜の下端に通水間隙４４ａを有しているとともに、溜め室３６から下流フィルタ４３及び負圧室３４への水の流出を抑制するようになっている。
【００２０】
電気掃除機１の使用時には負圧室３４が電動送風機１３の吸込みにより負圧となる。この負圧は、上流フィルタ４２を通じて集塵室３５から導入管４１及び吸気入口３３に波及し、更に吸塵ホース３及び延長管５を介して吸込み口体６に波及する。これにより、吸込み口体６から吸い込まれた含塵空気が、延長管５及び吸塵ホース３を介して集塵装置３０の吸気入口３３に導かれて、導入管４１を通って集塵室３５に吸引され、この集塵室３５内を旋回する。この旋回により、含塵空気中のある程度以上の質量を有した塵が、空気から遠心分離されて集塵室３５に留まる一方で、空気はろ過作用を受けながら上流フィルタ４２を通り負圧室３４に流出し後に、負圧室３４の下流側開口を閉じている下流フィルタ４３をろ過作用を受けながら通って電動送風機１３に吸込まれる。以上の電気掃除機１の使用時における集塵装置３０内での空気の流れを図３中矢印で示す。
【００２１】
ところで、例えば水が入ったコップ等が落下し破損した場合、その破片とともに水を、本発明の電気掃除機１で吸込むことができる。その際の集塵装置３０に対する空気の流れは既述の通りである。
【００２２】
この場合、導入管４１の絞り４１ａより下流側がテーパ管部４１ｂとなっていて、この部分で風路が急激に拡大するので、導入管４１を通る含塵空気は、絞り４１ａで圧力を高められ、この絞り４１ａを通過した直後に急激に減圧される。これにより、含塵空気とともに吸込まれた水が前記圧力低下によって霧状に水滴化する。こうして得られた微細な水滴は質量が小さいので、集塵室３５を通過する風に乗って上流フィルタ４２を通過することができる。したがって、前記破片とともに吸込まれた水は、液の状態で集塵室３５内に導入されて留まることがなく、霧状となって、集塵室３５を通過して負圧室３４に吸込まれる。このため、集塵室３５に溜められている比較的大きな塵が水浸しになることはない。なお、集塵室３５に溜められている塵が湿気を帯びることは妨げられないが、この塵は自然に乾燥される。
【００２３】
そして、負圧室３４に吸込まれた霧状の水滴は、下流フィルタ４３を空気が通過する際に、この下流フィルタ４３で通過を妨げられてフィルタ表面（上流側表面）に付着する。こうしてフィルタ表面に霧状の水滴が次々に付着するので、付着した水滴は、やがて集まって、ある程度の質量を得た段階で、フィルタ表面に沿ってこの表面に捕捉されている細塵の一部を伴って流下する。下流フィルタ４３から落下した水滴は、逆止め部材４４に導かれて溜め室３６に溜められる。
【００２４】
以上のように吸込んだ水を霧状の水滴化（霧化）する手段として、集塵装置３０が、絞り４１ａ及びテーパ管部４１ｂを有した導入管４１を集塵室３５の上流側に備えているので、既述のように水を伴って吸込みを行った場合に、水及び空気から分離された塵を集塵室３５に溜めることができるとともに、この後に下流フィルタ４３を通過する空気から分離された水を、集塵室３５とは区画して設けられた溜め室３６に溜めることができる。
【００２５】
すなわち、集塵装置３０は、これに水とともに吸込まれた含塵空気を、塵と、水と、空気と夫々分離して、塵をそれ専用の集塵室３５に溜めるとともに、水をそれ専用の溜め室３６に溜めることができる。
【００２６】
このため、掃除機本体２から取外した集塵装置３０の集塵室３５及び溜め室３６から別々に塵又は水を捨てることができる。この場合、底板３８を開くことにより集塵室３５内の塵を捨てることができ、底板３９を開くことにより溜め室３６内の水を捨てることができるので、夫々に応じた場所に捨てることができる。
【００２７】
そして、既述のように塵と水とを分離して別々に溜めるので、集塵室３５内の塵が水浸しになることがない。これにより、塵捨てをしないで放置した場合に、集塵室３５内の塵にカビが発生する可能性が低いとともに、放置により集塵室３５内の塵が干からびる状態になって、塵が集塵室３５の内面に強固に付着することがないので、その後の塵捨てを容易にできる。
【００２８】
図４は本発明の第２実施形態を示している。第２実施形態は、基本的には第１実施形態と同じであるので、同じ構成については第１実施形態の該当部分と同じ符号を付して説明を省略し、以下、第１実施形態とは異なる点を説明する。
【００２９】
第２実施形態では、導入管４１の入口管部４１ｃの周壁に他の上流フィルタ５１（第１上流フィルタ）が装着され、この上流フィルタ５１を通して入口管部４１ｃの内部と負圧室３４とが連通されている。上流フィルタ５１はナイロンネット等からなり、そのメッシュは、前記上流フィルタ（第２上流フィルタ）４２のメッシュより細かく、かつ、前記下流フィルタ４３のメッシュより粗い。この上流フィルタ５１は内周面に撥水層（図示しない）を有している。以上説明した点以外の構成は図４に示されない部分を含めて第１実施形態と同じである。
【００３０】
したがって、この第２実施形態でも第１実施形態と同様な作用を得て、本発明の課題を解決できる。
【００３１】
しかも、第２実施形態では導入管４１において直進流慣性分離作用を得るとともに、集塵室３５内での遠心分離作用が強過ぎないようにできる。すなわち、吸気入口３３を軸線方向に通過して入口管部４１ｃ内を流動する含塵空気の内で、上流フィルタ５１を通過可能な軽く小さい塵は、空気の一部とともに上流フィルタ５１を通って負圧室３４に流出する。この一方で、負圧室３４に吸引仕切れなかった空気とともに、ある程度以上質量がある大きな塵は、その慣性力で入口管部４１ｃを直進する。このようにして導入管４１において空気と塵との分離が行われ、空気と分離された塵は、既述のように絞り４１ａ及びテーパ管部４１ｂを通って集塵室３５に導入されて、この集塵室３５を旋回した後に、上流フィルタ４２を通って負圧室３４に流出してから、下流フィルタ４３を通って電動送風機１３に吸込まれる。
【００３２】
このように導入管４１に吸込まれた空気の一部を、集塵室３５を経由させずに上流フィルタ５１を通して負圧室３４に流出させたので、以下の点で好ましい。第１に、集塵室３５内での含塵空気の旋回による遠心分離作用を弱めて、遠心分離された塵が上流フィルタ４２に張り付いて吸込みを阻害しないようにできる。第２に、集塵室３５内での遠心分離に伴う風損が少なくなることに伴い、吸込み仕事率を向上できる。
【００３３】
図５〜図７は本発明の第３実施形態を示している。第３実施形態は、基本的には第１実施形態と同じであるので、同じ構成については第１実施形態の該当部分と同じ符号を付して説明を省略し、以下、第１実施形態とは異なる点を説明する。
【００３４】
第３実施形態では、逆止め部材に代えて、集塵室３５の天井より低い位置で溜め室３６を仕切る溜め室天井壁６１を設けるとともに、集塵室３５と負圧室３４とを直接連通することに代えて、集塵室３５を、連通路６２及び溜め室３６並びに更に他の上流フィルタ６３を順次介して負圧室３４と連通している。連通路６２は、隔壁３７の上部と、この一部を覆って設けたカバー壁６４との間に形成されている。このカバー壁６４の一端部は覆われた上流フィルタ４２を介して連通路６２の入口部と集塵室３５とが連通されている。カバー壁６４の出口側他端部は下向き折れ曲がっていて、溜め室天井壁６１につなげられている。連通路６２の下向きとなった出口６２ｂは溜め室３６に連通されている。上流フィルタ６３は下流フィルタ４３の下端と略同じ高さ位置の溜め室天井壁６１に装着され、この上流フィルタ６３を介して集塵室３５と溜め室３６とが連通されている。上流フィルタ６３は集塵ケース３１の幅方向に沿って延びて設けられているとともに、その溜め室３６に臨んだ面に撥水層（図示しない）を有している。この上流フィルタ６３のメッシュは、上流フィルタ４２のメッシュより細かく、下流フィルタ４３のメッシュより粗い。又、この第３実施形態において下流フィルタ４３はその表面に撥水層を有していてもいなくてもよい。以上説明した点以外の構成は図示されない部分を含めて第１実施形態と同じである。
【００３５】
この第３実施形態でも、電動送風機１３の運転に伴い、吸込んだ水を霧状の水滴化（霧化）する手段として、絞り４１ａ及びテーパ管部４１ｂを有した導入管４１を集塵室３５の上流側に備えているので、水を伴って吸塵を行った場合に、水及び空気から分離された塵を集塵室３５に溜めることができるとともに、この後に下流フィルタ４３ヘ向かう空気から分離された水を、集塵室３５とは区画して設けられた溜め室３６に溜めることができる。
【００３６】
この場合、集塵室３５から上流フィルタ４２を通って連通路６２に空気とともに流入した霧状の水滴は、カバー壁６４の曲り部６４ａ（図７参照）に吹付けられて、やがて集まり液状となって溜め室３６に流下して溜められるとともに、前記曲り部６４ａで液化し切れなかった霧状の水滴は、溜め室３６の底部に吹付けられて空気と分離されて液化し、この溜め室３６に溜められる。なお、分離された空気は上流フィルタ６３を通って負圧室３４に流出した後、下流フィルタ４３を通って電動送風機１３に吸込まれる。
【００３７】
したがって、この第３実施形態においても、水を含んで吸塵をした場合に、集塵装置３０において、塵と、水と、空気と夫々分離して、塵をそれ専用の集塵室３５に溜めるとともに、水をそれ専用の溜め室３６に溜めることができるので、本発明の課題を解決できる。
【００３８】
図８は本発明の第４実施形態を示している。第４実施形態は、基本的には第３実施形態と同じであるので、同じ構成については第３実施形態の該当部分と同じ符号を付して説明を省略し、以下、第３実施形態とは異なる点を説明する。
【００３９】
第４実施形態では、導入管４１の入口管部４１ｃの周壁に他の上流フィルタ５１（第１上流フィルタ）が装着され、この上流フィルタ５１を通して入口管部４１ｃの内部と負圧室３４とが連通されている。この上流フィルタ５１はナイロンネット等からなり、そのメッシュは、前記上流フィルタ（第２上流フィルタ）４２のメッシュより細かいとともに、前記上流フィルタ６３（第３上流フィルタ）のメッシュと同じであり、かつ、前記下流フィルタ４３のメッシュより粗い。この上流フィルタ５１は内周面に撥水層（図示しない）を有している。以上説明した点以外の構成は図８に示されない部分を含めて第１実施形態と同じである。
【００４０】
したがって、この第４実施形態でも第３実施形態と同様な作用を得て、本発明の課題を解決できる。
【００４１】
しかも、第４実施形態では導入管４１において直進流慣性分離作用を得るとともに、集塵室３５内での遠心分離作用が強過ぎないようにできる。すなわち、吸気入口３３を軸線方向に通過して入口管部４１ｃ内を流動する含塵空気の内で、上流フィルタ５１を通過可能な軽く小さい塵は、空気の一部とともに上流フィルタ５１を通って負圧室３４に流出する。この一方で、負圧室３４に吸引仕切れなかった空気とともに、ある程度以上質量がある大きな塵は、その慣性力で入口管部４１ｃを直進する。このようにして導入管４１において空気と塵との分離が行われ、空気と分離された塵は、既述のように絞り４１ａ及びテーパ管部４１ｂを通って集塵室３５に導入されて、この集塵室３５を旋回した後に、上流フィルタ４２を通って負圧室３４に流出してから、下流フィルタ４３を通って電動送風機１３に吸込まれる。
【００４２】
このように導入管４１に吸込まれた空気の一部を、集塵室３５を経由させずに上流フィルタ５１を通して負圧室３４に流出させたので、以下の点で好ましい。第１に、集塵室３５内での含塵空気の旋回による遠心分離作用を弱めて、遠心分離された塵が上流フィルタ４２に張り付いて吸込みを阻害しないようにできる。第２に、集塵室３５内での遠心分離に伴う風損が少なくなることに伴い、吸込み仕事率を向上できる。
【図面の簡単な説明】
【００４３】
【図１】本発明の第１実施形態に係る集塵装置を備えた電気掃除機を示す斜視図。
【図２】図１の電気掃除機を一部切欠いて示す側面図。
【図３】本発明の第１実施形態に係る集塵装置を示す断面図。
【図４】本発明の第２実施形態に係る集塵装置を備えた電気掃除機を一部切欠いて示す側面図。
【図５】本発明の第３実施形態に係る集塵装置を備えた電気掃除機を一部切欠いて示す側面図。
【図６】本発明の第３実施形態に係る集塵装置を示す断面図。
【図７】図５の集塵装置の一部を示す断面図。
【図８】本発明の第４実施形態に係る集塵装置を備えた電気掃除機を一部切欠いて示す側面図。
【符号の説明】
【００４４】
１…電気掃除機、２…掃除機本体、１３…電動送風機、３０…集塵装置、３１…集塵ケース、３３…吸気入口、３４…負圧室、３５…集塵室、３６…溜め室、３７…隔壁、３８…集塵室用底板、３９…溜め室用底板、４１…導入管、４１ａ…絞り、４１ｂ…テーパ管部（拡大風路）、４１ｃ…入口管部、４２…上流フィルタ、４３…下流フィルタ、４４…逆止め部材、５１…他の上流フィルタ、６１…溜め室天井壁、６２…連通路、６３…更に他の上流フィルタ、６４…カバー壁、６４ａ…曲り部
【図１】
2005204796.tif 000003
【図２】
2005204796.tif 000004
【図３】
2005204796.tif 000005
【図４】
2005204796.tif 000006
【図５】
2005204796.tif 000007
【図６】
2005204796.tif 000008
【図７】
2005204796.tif 000009
【図８】
2005204796.tif 000010